(57)【要約】【課題】  ユーザの所在に特化した緊急情報を、テレビジョン受信機を利用して速やかに提供することが可能な緊急情報表示制御装置および緊急情報表示システムを提供する。【解決手段】  デジタルＴＶ受信機２０と中央サーバ装置３０とがネットワーク５０を介して接続され、中央サーバ装置３０は、デジタルＴＶ受信機２０ごとの、設置されている地域を示す地域情報を記憶するＴＶ受信機情報記憶部３２１と、地域情報ごとの、緊急情報を記憶する緊急情報記憶部３２２と、記憶された地域ごとの緊急情報を、記憶された地域情報に基づいて該当するデジタルＴＶ受信機２０にネットワーク５０を介して送信する緊急情報送信部３３とを有し、デジタルＴＶ受信機２０は、中央サーバ装置から送信された緊急情報を受信し、表示する表示部２３を有する。【選択図】図１
2011061324.tif 000002
【特許請求の範囲】
【請求項１】
複数のテレビジョン受信にネットワークを介して接続された緊急情報表示制御装置において、
前記テレビジョン受信機ごとの、設置されている地域を示す地域情報を記憶するテレビジョン受信機情報記憶部と、
前記地域情報ごとの、緊急情報を記憶する緊急情報記憶部と、
前記緊急情報記憶部に記憶された地域ごとの緊急情報を、前記テレビジョン受信機情報記憶部に記憶された地域情報に基づいて、該当するテレビジョン受信機に前記ネットワークを介して送信する緊急情報送信部と
を備えることを特徴とする緊急情報表示制御装置。
【請求項２】
前記緊急情報表示制御装置は、前記テレビジョン受信機から入力された前記テレビジョン受信機の識別情報および地域情報を、前記ネットワークを介して取得し、当該テレビジョン受信機の識別情報と地域情報とを対応づけて前記テレビジョン受信機情報記憶部に記憶させるテレビジョン受信機情報取得部をさらに有する、
ことを特徴とする請求項１に記載の緊急情報表示制御装置。
【請求項３】
前記緊急情報表示制御装置のテレビジョン受信機情報記憶部は、前記テレビジョン受信機ごとの、前記緊急情報送信時に受信させるテレビジョン放送のチャンネル情報である緊急時チャンネル情報をさらに記憶し、
前記緊急情報表示制御装置の緊急情報送信部は、各テレビジョン受信機において該当する緊急時チャンネル情報で示されるチャンネルの放送番組を受信させるために、前記緊急時チャンネル情報を前記緊急情報とともに該当するテレビジョン受信機に送信する
ことを特徴とする請求項１または２に記載の緊急情報表示制御装置。
【請求項４】
前記緊急時チャンネル情報は、前記テレビジョン受信機から入力され、前記緊急情報表示制御装置のテレビジョン受信機情報取得部を介してテレビジョン受信機情報記憶部に記憶されたチャンネル情報であるかまたは、過去の緊急情報送信時における前記テレビジョン受信機でのチャンネル操作履歴情報に基づいて特定されたチャンネル情報である
ことを特徴とする請求項３に記載の緊急情報表示制御装置。
【請求項５】
複数のテレビジョン受信機と、緊急情報表示制御装置とがネットワークを介して接続された緊急情報表示システムにおいて、
前記緊急情報表示制御装置は、
前記テレビジョン受信機ごとの、設置されている地域を示す地域情報を記憶するテレビジョン受信機情報記憶部と、
前記地域情報ごとの、緊急情報を記憶する緊急情報記憶部と、
前記緊急情報記憶部に記憶された地域ごとの緊急情報を、前記テレビジョン受信機情報記憶部に記憶された地域情報に基づいて、該当するテレビジョン受信機に前記ネットワークを介して送信する緊急情報送信部と
を有し、
前記テレビジョン受信機は、
前記緊急情報表示制御装置の緊急情報送信部から送信された緊急情報を受信し、表示する表示部
を有することを特徴とする緊急情報表示システム。
【請求項６】
前記テレビジョン受信機を利用するユーザにより携帯され、前記緊急情報を表示する携帯表示部を有する携帯端末が、前記ネットワークにさらに接続され、
前記緊急情報表示制御装置のテレビジョン受信機情報記憶部は、前記テレビション受信機ごとの、前記ユーザにより携帯される携帯端末の識別情報をさらに記憶し、
前記緊急情報表示制御装置の緊急情報送信部は、前記緊急情報記憶部に記憶された地域ごとの緊急情報を、前記テレビジョン受信機情報記憶部に記憶された地域情報に基づいて、該当する携帯端末に前記ネットワークを介してさらに送信する
ことを特徴とする請求項５に記載の緊急情報表示システム。
【発明の詳細な説明】
【技術分野】
【０００１】
本発明は、災害発生時にユーザに緊急情報を提供する緊急情報表示制御装置および緊急情報表示システムに関する。
【背景技術】
【０００２】
従来、災害発生時にユーザに避難を誘導する避難情報等の緊急情報を、テレビ放送を利用して提供することが行われている。
【０００３】
テレビ放送により緊急の速報情報を放送するシステムとして、特許文献１に記載の放送システムがある。
【０００４】
この放送システムでは、緊急の速報情報が発生すると放送サービス制御装置から放送受信装置に速報発生通知が送信され、放送受信装置で放送信号が受信されていない状況でもこの速報発生通知が表示される。そして、ユーザがこの表示を認識したことにより速報情報の取得を要求する操作が行われると、ネットワークを介して所望の速報情報が取得され表示される。
【０００５】
この放送システムが利用されることにより、ユーザは、放送信号の受信状況に関わらず、放送受信装置のユーザに速報の発生を通知することが可能になる。
【先行技術文献】
【特許文献】
【０００６】
【特許文献１】特開２００５−２６０６４６号公報
【発明の概要】
【発明が解決しようとする課題】
【０００７】
しかし、緊急の速報情報は地域に特化した情報が多く、視聴しているユーザの所在地により必要な情報が異なるが、特許文献１に記載の放送システムでは表示される緊急の速報情報の内容を区別することについては考慮されていなかった。
【０００８】
本発明は上記事情に鑑みてなされたものであり、ユーザの所在に特化した緊急情報を、テレビジョン受信機を利用して速やかに提供することが可能な緊急情報表示制御装置および緊急情報表示システムを提供することを目的とする。
【課題を解決するための手段】
【０００９】
上記目的を達成するための本発明の緊急情報表示制御装置は、複数のテレビジョン受信にネットワークを介して接続された緊急情報表示制御装置であり、前記テレビジョン受信機ごとの、設置されている地域を示す地域情報を記憶するテレビジョン受信機情報記憶部と、前記地域情報ごとの、緊急情報を記憶する緊急情報記憶部と、前記緊急情報記憶部に記憶された地域ごとの緊急情報を、前記テレビジョン受信機情報記憶部に記憶された地域情報に基づいて、該当するテレビジョン受信機に前記ネットワークを介して送信する緊急情報送信部とを備えることを特徴とする。
【００１０】
また、本発明の緊急情報表示システムは、複数のテレビジョン受信機と、緊急情報表示制御装置とがネットワークを介して接続され、前記緊急情報表示制御装置は、前記テレビジョン受信機ごとの、設置されている地域を示す地域情報を記憶するテレビジョン受信機情報記憶部と、前記地域情報ごとの、緊急情報を記憶する緊急情報記憶部と、前記緊急情報記憶部に記憶された地域ごとの緊急情報を、前記テレビジョン受信機情報記憶部に記憶された地域情報に基づいて、該当するテレビジョン受信機に前記ネットワークを介して送信する緊急情報送信部とを有し、前記テレビジョン受信機は、前記緊急情報表示制御装置の緊急情報送信部から送信された緊急情報を受信し、表示する表示部を有することを特徴とする。
【発明の効果】
【００１１】
本発明の緊急情報表示制御装置および緊急情報表示システムによれば、ユーザの所在に特化した緊急情報を、テレビジョン受信機を利用して速やかに提供することができる。
【図面の簡単な説明】
【００１２】
【図１】本発明の一実施形態による緊急情報表示システムの構成を示すブロック図である。
【図２】本発明の一実施形態による緊急情報表示システムの動作を示すシーケンス図である。
【図３】本発明の一実施形態による緊急情報表示システムの中央サーバ装置に記憶されるＴＶ受信機情報の一例を示す説明図である。
【図４】本発明の一実施形態による緊急情報表示システムの中央サーバ装置に記憶される緊急情報の一例を示す説明図である。
【図５】本発明の一実施形態による緊急情報表示システムのデジタルＴＶ受信機に表示された表示情報の一例を示す画面表示図である。
【発明を実施するための形態】
【００１３】
〈一実施形態による緊急情報表示システムの構成〉
本発明の一実施形態による緊急情報表示システムの構成について、図１を参照して説明する。
【００１４】
本実施形態における緊急情報表示システム１は、デジタルＴＶ放送番組を放送する放送局１０と、放送されたデジタルテレビ番組を再生するデジタルＴＶ受信機２０と、緊急情報表示制御装置としての中央サーバ装置３０と、当該デジタルＴＶ受信機２０を利用するユーザにより携帯され表示画面を有する携帯端末４０とを備える。このうち、デジタルＴＶ受信機２０と、中央サーバ装置３０と、携帯端末４０とは、ネットワーク５０を介して接続されている。
【００１５】
図１においては説明を簡略化するためデジタルＴＶ受信機は１台のみ示しているが、実際には複数のデジタルＴＶ受信機が接続されている。
【００１６】
デジタルＴＶ受信機２０は、ＴＶ受信機情報入力部２１と、表示情報生成部２２と、表示部２３とを有する。
【００１７】
ＴＶ受信機情報入力部２１は、ユーザの操作によりＢ−ＣＡＳカードの登録等を利用して、デジタルＴＶ受信機２０の識別情報、設置されている地域を示す地域情報、当該デジタルＴＶ受信機２０を利用するユーザにより携帯される携帯端末４０の識別情報、および緊急情報が発信されているときに放送局１０から受信する放送チャンネルとして指定する緊急時チャンネル情報を入力する。この地域情報としては例えば郵便番号が用いられ、また携帯端末４０の識別情報としては携帯端末に設定されたメールアドレス情報を用いることができる。
【００１８】
表示情報生成部２２は、放送局１０で放送されたデジタルＴＶ放送番組を受信して再生するための表示情報を生成する。また、中央サーバ装置３０から緊急情報が送信されたときには、デジタルＴＶ放送番組と緊急情報とを同時に表示するための表示情報を生成する。
【００１９】
表示部２３は、表示情報生成部２２で生成された表示情報を表示する。
【００２０】
中央サーバ装置３０は、ＴＶ受信機情報取得部３１と、記憶部３２と、緊急情報送信部３３とを有する。
【００２１】
ＴＶ受信機情報取得部３１は、デジタルＴＶ受信機２０のＴＶ受信機情報入力部２１から入力された、デジタルＴＶ受信機２０の識別情報、地域情報、携帯端末４０の識別情報、および緊急時チャンネル情報を取得する。
【００２２】
記憶部３２は、ＴＶ受信機情報取得部３１で取得されたデジタルＴＶ受信機２０の識別情報、地域情報、携帯端末４０の識別情報、および緊急時チャンネル情報を記憶するＴＶ受信機情報記憶部３２１と、災害発生時に地域情報ごとの緊急情報が緊急情報発信設備（図示せず）から送信される地域情報ごとの発生災害情報、避難指示情報、避難所への経路情報等の緊急情報を記憶する緊急情報記憶部３２２とを有する。この発生災害情報としては、「地震発生」、「洪水発生」、「台風接近」などがある。
【００２３】
緊急情報送信部３３は、災害発生時に地域情報ごとの緊急情報が緊急情報発信設備（図示せず）から受信されたことを検知すると、緊急情報記憶部３２２に記憶された地域ごとの緊急情報を、ＴＶ受信機情報記憶部３２１に記憶された地域情報に基づいて、該当するデジタルＴＶ受信機にネットワーク５０を介して送信する。また、この緊急情報とともに該当する緊急時チャンネル情報を該当するデジタルＴＶ受信機にネットワーク５０を介して送信する。
【００２４】
さらに緊急情報送信部３３は、緊急情報記憶部３２２に記憶された地域ごとの緊急情報を、ＴＶ受信機情報記憶部３２１に記憶された地域情報に基づいて、該当する携帯端末にネットワーク５０を介して送信する。
【００２５】
〈一実施形態による緊急情報表示システムの動作〉
次に、本実施形態における緊急情報表示システム１の動作について、図２のシーケンス図を参照して説明する。
【００２６】
本実施形態において、予めユーザの操作によりＢ−ＣＡＳカードの登録等が利用されて、デジタルＴＶ受信機の識別情報、設置されている地域を示す地域情報、当該デジタルＴＶ受信機を利用するユーザにより携帯される携帯端末の識別情報、および緊急情報が発信されたときに放送局１０から受信する放送チャンネルとして指定する緊急時チャンネル情報が、デジタルＴＶ受信機２０のＴＶ受信機情報入力部２１から入力され（Ｓ１）、これらがネットワーク５０を介して中央サーバ装置３０のＴＶ受信機情報取得部３１で取得されて記憶部３２のＴＶ受信機情報記憶部３２１に記憶される（Ｓ２）。
【００２７】
ＴＶ受信機情報記憶部３２１に記憶された情報の一例を、図３に示す。図３では、ＴＶ受信機情報記憶部３２１に記憶された情報として、識別情報「デジタルＴＶ受信機２０」で示されるデジタルＴＶ受信機の設置されている地域を示す地域情報としての郵便番号「120-0001」、当該デジタルＴＶ受信機２０を利用するユーザにより携帯される携帯端末の識別情報としてのメールアドレス情報「○○○@・・・・・ne.jp」、および当該デジタルＴＶ受信機２０を利用するユーザにより指定された緊急時チャンネル情報「ｘ ch」と、識別情報「デジタルＴＶ受信機２０−１」で示されるデジタルＴＶ受信機（図示せず）の設置されている地域を示す地域情報としての郵便番号「120-0002」、当該デジタルＴＶ受信機２０−１を利用するユーザにより携帯される携帯端末の識別情報としてのメールアドレス情報「×××@・・・・・ne.jp」、および当該デジタルＴＶ受信機２０−１を利用するユーザにより指定された緊急時チャンネル情報「ｙ ch」と、識別情報「デジタルＴＶ受信機２０−２」で示されるデジタルＴＶ受信機の設置されている地域を示す地域情報としての郵便番号「150-0001」、当該デジタルＴＶ受信機２０−２を利用するユーザにより携帯される携帯端末の識別情報としてのメールアドレス情報「△△△@・・・・・ne.jp」、および当該デジタルＴＶ受信機２０−２を利用するユーザにより指定された緊急時チャンネル情報「ｘ ch」とが示されている。
【００２８】
これらの情報が中央サーバ装置３０の記憶部３２に記憶されている状態で、デジタルＴＶ受信機２０では、ユーザにより指定されたチャンネルのデジタルＴＶ放送番組が放送局１０から受信され、表示情報生成部２２を介して表示部２３で表示され再生されているものとする（Ｓ３）。
【００２９】
また、中央サーバ装置３０では、災害発生時に地域情報ごとの緊急情報が緊急情報発信設備（図示せず）から送信されたか否かが監視されており、地域情報ごとの緊急情報が送信されたことが検知されると、この緊急情報が取得されて記憶部３２の緊急情報記憶部３２２に記憶される（Ｓ４）。
【００３０】
緊急情報記憶部３２２に記憶された緊急情報の一例を、図４に示す。図４では、緊急情報記憶部３２２に記憶された緊急情報として、地域情報としての郵便番号「120-0001」に該当するデジタルＴＶ受信機に送信するための発生災害情報「地震発生」、避難指示情報「○○小学校に避難してください。」、および該当する避難所までの経路地図やハザードマップの画像情報である避難所地図情報と、郵便番号「120-0002」に該当するデジタルＴＶ受信機に送信するための発生災害情報「地震発生」、避難指示情報「××公民館に避難してください。」、および該当する避難所地図情報と、郵便番号「120-0003」に該当するデジタルＴＶ受信機に送信するための発生災害情報「地震発生」、避難指示情報「△△小学校に避難してください。」、および該当する避難所地図情報とが示されている。
【００３１】
緊急情報記憶部３２２に緊急情報が記憶されると、緊急情報記憶部３２２に記憶された地域ごとの緊急情報が緊急情報送信部３３で取得され、ＴＶ受信機情報記憶部３２１に記憶された地域情報に基づいて、取得された緊急情報が該当するデジタルＴＶ受信機にネットワーク５０を介して送信される。また、この緊急情報とともに該当する緊急時チャンネル情報も、緊急情報送信部３３からデジタルＴＶ受信機にネットワーク５０を介して送信される（Ｓ５）。
【００３２】
例えば、図３および図４の情報に基づいて、郵便番号「120-0001」の地域に設置されているデジタルＴＶ受信機２０に、郵便番号「120-0001」に該当する緊急情報である発生災害情報「地震発生」、避難指示情報「○○小学校に避難してください。」、および該当する避難所地図情報と、デジタルＴＶ受信機２０に該当する緊急時チャンネル情報「ｘ ch」が送信される。
【００３３】
デジタルＴＶ受信機２０では、中央サーバ装置３０から送信された緊急情報および緊急時チャンネル情報が表示情報生成部２２で受信され、再生中のデジタルＴＶ放送番組が、受信された緊急時チャンネル情報「ｘ ch」に該当するチャンネルのデジタル放送番組に切り替えられる（Ｓ６）。
【００３４】
次に、切り替えられたチャンネル情報「ｘ ch」のデジタル放送番組の再生映像と、受信された緊急情報が同時に表示されるように表示情報が表示情報生成部２２で生成され、表示部２３に表示される（Ｓ７）。
【００３５】
表示部２３に表示された表示情報の一例を、図５に示す。図５では、表示部２３の中の、放送番組表示エリア２３１にチャンネル情報「ｘ ch」のデジタル放送番組の再生映像が表示され、緊急情報の発生災害情報を表示する発生再生情報表示エリア２３２に発生災害情報「地震発生」が表示され、避難所地図情報を表示する避難所地図情報表示エリア２３３に避難所までの経路地図やハザードマップの画像情報が表示され、避難指示情報を表示する避難指示情報表示エリア２３４に避難指示情報「○○小学校に避難してください。」が表示されている。
【００３６】
また、緊急情報送信部３３では緊急情報が取得されると、ＴＶ受信機情報記憶部３２１に記憶された地域情報に基づいて、該当する携帯端末にもネットワーク５０を介して送信される（Ｓ８）。
【００３７】
例えば、図３および図４の情報の基づいて、郵便番号「120-0001」の地域に設置されているデジタルＴＶ受信機２０に該当する携帯端末４０のメールアドレス情報「○○○@・・・・・ne.jp」宛てに、郵便番号「120-0001」に該当する緊急情報である発生災害情報「地震発生」、避難指示情報「○○小学校に避難してください。」、および該当する避難所地図情報が送信される。携帯端末４０では、受信した緊急情報が表示画面に表示される（Ｓ９）。
【００３８】
以上の本実施形態によれば、デジタルＴＶ受信機の設置位置に対応した災害時の緊急情報を当該デジタルＴＶ受信機に表示させるため、このデジタルＴＶ受信機を視聴するユーザの所在に特化した緊急情報を提供することができる。
【００３９】
また、緊急情報が発信されているときに受信する放送チャンネルとしてユーザが指定するチャンネルの放送番組を、災害時に自動的にデジタルＴＶ受信機に再生させるため、ユーザのチャンネル操作の手間を省くことができる。
【００４０】
また、ユーザの所在に特化した緊急情報がデジタルＴＶ受信機に表示されるとともにユーザが携帯する携帯端末にも表示されるため、ユーザがデジタルＴＶ受信機から離れて避難所に向かうときにも、避難経路を見ながら避難行動をとることができ、利便性が向上する。
【００４１】
本実施形態においては、デジタルＴＶ受信機でデジタル放送番組が再生されているとき緊急情報が受信される場合について説明したが、これには限らず、デジタルＴＶ受信機の表示がＯＦＦ状態のときでも、例えば特開２００７−２４３９３６号公報に記載されている方法を利用し、緊急情報を受信したときに自動的に電源がＯＮにされ、表示されるようにしてもよい。
【００４２】
また本実施形態においては、緊急時チャンネル情報をユーザが指定する場合について説明したが、これには限定されず、過去の緊急情報送信時におけるテレビジョン受信機でのチャンネル操作履歴情報に基づいて特定されたチャンネル情報を緊急時チャンネル情報としてもよい。
【符号の説明】
【００４３】
１…緊急情報表示システム
１０…放送局
２０…デジタルＴＶ受信機
２１…ＴＶ受信機情報入力部
２２…表示情報生成部
２３…表示部
３０…中央サーバ装置
３１…ＴＶ受信機情報取得部
３２…記憶部
３３…緊急情報送信部
４０…携帯端末
５０…ネットワーク
２３１…放送番組表示エリア
２３２…発生再生情報表示エリア
２３３…避難所地図情報表示エリア
２３４…避難指示情報表示エリア
３２１…ＴＶ受信機情報記憶部
３２２…緊急情報記憶部
【図１】
2011061324.tif 000003
【図２】
2011061324.tif 000004
【図３】
2011061324.tif 000005
【図４】
2011061324.tif 000006
【図５】
2011061324.tif 000007